(57)【要約】【課題】本発明は、記録媒体の記録領域を有効に利用することができる記録技術を提供することを目的とする。【解決手段】上記目的を達成するため、本発明は、情報及び前記情報を管理する管理情報を記録媒体に記録する技術において、情報２を、記録情報量が定められていない情報記録領域における既に記録されている情報１より内周の位置（１０５）から記録し、前記管理情報２を、記録情報量が定められていない管理情報記録領域における既に記録されている管理情報１より外周の位置（１０３ｂ）から記録する技術とする。【選択図】　図１
2004087011.tif 000002
【特許請求の範囲】
【請求項１】
情報及び前記情報を管理する管理情報を記録媒体に記録する記録方法において、
前記情報の記録の際に、前記情報の情報量を判断し、
前記情報を、前記記録媒体上の記録情報量が定められていない情報記録領域の最外周より前記情報量だけ内周から外周に向かって記録し、
前記管理情報を、前記記録媒体上の記録情報量が定められていない管理情報記録領域の最内周から外周に向って記録する記録方法。
【請求項２】
情報、前記情報を管理する管理情報、及び前記管理情報の記録位置を示す情報を記録媒体に記録する記録方法において、
前記情報の記録の際に、前記情報の情報量を判断し、
前記情報を、前記記録媒体上の記録情報量が定められていない情報記録領域における未記録の領域の最外周より前記情報量だけ内周から外周に向かって記録し、
前記管理情報を、前記記録媒体上の記録情報量が定められていない管理情報記録領域における未記録の領域の最内周から外周に向って記録し、
前記管理情報の記録位置を示す情報を、前記記録媒体上の記録情報量が定められている前記管理情報の記録位置を示す情報の記録領域における未記録の領域の最内周から外周に向って記録する記録方法。
【請求項３】
情報及び前記情報を管理する管理情報を記録媒体に記録する記録方法において、
前記情報を、所定の記録単位毎に、前記記録媒体上の記録情報量が定められていない情報記録領域の最外周から前記最外周より前記情報を記録するのに要する記録単位分の情報量だけ内周までの領域に記録し、
前記管理情報を、前記記録媒体上の記録情報量が定められていない管理情報記録領域の最内周から外周に向って記録する記録方法。
【請求項４】
情報、前記情報を管理する管理情報、及び前記管理情報の記録位置を示す情報を記録媒体に記録する記録方法において、
前記情報を、所定の記録単位毎に、前記記録媒体上の記録情報量が定められていない情報記録領域における未記録の領域の最外周から前記最外周より前記情報を記録するのに要する記録単位分の情報量だけ内周までの領域に記録し、
前記管理情報を、前記記録媒体上の記録情報量が定められていない管理情報記録領域における未記録の領域の最内周から外周に向って記録し、
前記管理情報の記録位置を示す情報を、記録情報量が定められている前記管理情報の記録位置を示す情報の記録領域における未記録の領域の最内周から外周に向って記録する記録方法。
【請求項５】
請求項３又は請求項４に記載の記録方法であって、
前記情報を前記所定の記録単位毎に記録する際に、各記録単位内においては、前記情報を内周から外周に向って記録する記録方法。
【請求項６】
情報及び前記情報を管理する管理情報を記録媒体に記録する記録方法において、
前記情報を、前記記録媒体上の記録情報量が定められていない情報記録領域における既に記録されている情報より内周の位置から記録し、
前記管理情報を、前記記録媒体上の記録情報量が定められていない管理情報記録領域における既に記録されている管理情報より外周の位置から記録する記録方法。
【請求項７】
請求項６に記載の記録方法であって、
前記情報の情報量を判断し、
前記情報を、前記記録媒体上の前記既に記録されている情報より内周の位置より前記情報量だけ内周の位置から外周に向って記録する記録方法。
【請求項８】
情報及び前記情報を管理する管理情報を記録媒体に記録する記録方法において、
前記情報を、所定の記録単位毎に、前記記録媒体上の記録情報量が定められていない情報記録領域における既に記録されている情報より内周の位置から記録し、
前記管理情報を、前記記録媒体上の記録情報量が定められていない管理情報記録領域における既に記録されている管理情報より外周の位置から記録する記録方法。
【請求項９】
請求項８に記載の記録方法であって、
前記記録単位毎の記録は、外周から内周に向って記録し、
前記記録単位内における前記情報の記録は、内周から外周に向って記録する記録方法。
【請求項１０】
情報が、所定の記録単位毎に、記録情報量が定められていない情報記録領域における既に記録されている情報より内周の位置から記録され、前記情報を管理する管理情報が、記録情報量が定められていない管理情報記録領域における既に記録されている管理情報より外周の位置から記録された記録媒体の前記情報を再生する再生方法であって、
前記記録単位毎の再生は、外周から内周に向って再生し、
前記記録単位内における前記情報の再生は、内周から外周に向って再生する再生方法。
【請求項１１】
情報及び前記情報を管理する管理情報を記録媒体に記録する記録装置において、
前記情報の記録の際に、前記情報の情報量を判断する判断手段と、
前記管理情報に基き前記記録媒体における未記録の記録領域の最外周位置を検出し、前記情報を、前記検出された最外周位置より前記判断手段によって判断された前記情報量だけ内周から外周に向って記録するように制御する制御手段とを有し、
前記制御手段は、前記管理情報を、記録情報量が定められていない管理情報記録領域の最内周から外周に向って記録するように制御する記録装置。
【請求項１２】
情報、前記情報を管理する管理情報、及び前記管理情報の記録位置を示す情報を記録媒体に記録する記録装置において、
前記情報の記録の際に、前記情報の情報量を判断する判断手段と、
前記管理情報に基いて前記記録媒体における未記録の記録領域の最外周位置を検出し、前記情報を、前記検出された最外周位置より前記判断手段によって判断された前記情報量だけ内周から外周に向って記録するように制御する制御手段とを有し、
前記制御手段は、前記管理情報を、記録情報量が定められていない管理情報記録領域における未記録の領域の最内周から外周に向って記録するように制御し、前記管理情報の記録位置を示す情報を、記録情報量が定められている前記管理情報の記録位置を示す情報の記録領域における未記録の領域の最内周から外周に向って記録するように制御する記録装置。
【請求項１３】
情報及び前記情報を管理する管理情報を記録媒体に記録する記録装置において、
前記情報を、所定の記録単位毎に、前記記録媒体上の記録情報量が定められていない情報記録領域の最外周から前記最外周より前記情報を記録するのに要する記録単位分の情報量だけ内周までの領域に記録するように制御する制御手段を有し、
前記制御手段は、前記管理情報を、前記記録媒体上の記録情報量が定められていない管理情報記録領域の最内周から外周に向って記録するように制御する記録装置。
【請求項１４】
情報、前記情報を管理する管理情報、及び前記管理情報の記録位置を示す情報を記録媒体に記録する記録装置において、
前記情報を、所定の記録単位毎に、前記記録媒体上の記録情報量が定められていない情報記録領域における未記録の領域の最外周から前記最外周より前記情報を記録するのに要する記録単位分の情報量だけ内周までの領域に記録するように制御する制御手段を有し、
前記制御手段は、前記管理情報を、前記記録媒体上の記録情報量が定められていない管理情報記録領域における未記録の領域の最内周から外周に向って記録し、前記管理情報の記録位置を示す情報を、前記記録媒体上の記録情報量が定められている前記管理情報の記録位置を示す情報の記録領域における未記録の領域の最内周から外周に向って記録するように制御する記録装置。
【請求項１５】
請求項１３又は請求項１４に記載の記録装置であって、
前記制御手段は、前記情報を前記所定の記録単位毎に記録する際に、各記録単位内においては、前記情報を内周から外周に向って記録するように制御する記録装置。
【請求項１６】
情報及び前記情報を管理する管理情報を記録媒体に記録する記録装置において、
前記情報を、記録情報量が定められていない情報記録領域における既に記録されている情報より内周の位置から記録するように制御する制御手段を有し、
前記制御手段は、前記管理情報を、記録情報量が定められていない管理情報記録領域における既に記録されている管理情報より外周の位置から記録するように制御する記録装置。
【請求項１７】
請求項１６に記載の記録装置であって、
前記情報の情報量を判断する判断手段を有し、
前記制御手段は、前記情報を、前記記録媒体上の前記既に記録されている情報より内周の位置より前記判断手段により判断された情報量だけ内周の位置から外周に向って記録するように制御する記録装置。
【請求項１８】
情報及び前記情報を管理する管理情報を記録媒体に記録する記録装置において、
前記情報を、所定の記録単位毎に、前記記録媒体上の記録情報量が定められていない情報記録領域における既に記録されている情報より内周の位置から記録するように制御する制御手段を有し、
前記制御手段は、前記管理情報を、前記記録媒体上の記録情報量が定められていない管理情報記録領域における既に記録されている管理情報より外周の位置から記録するように制御する記録装置。
【請求項１９】
請求項１８に記載の記録装置であって、
前記制御手段は、前記記録単位毎の記録を外周から内周に向って記録し、前記記録単位内における前記情報の記録を内周から外周に向って記録するように制御する記録装置。
【請求項２０】
情報が、所定の記録単位毎に、記録情報量が定められていない情報記録領域における既に記録されている情報より内周の位置から記録され、前記情報を管理する管理情報が、記録情報量が定められていない管理情報記録領域における既に記録されている管理情報より外周の位置から記録された記録媒体の前記情報を再生する再生装置であって、
前記記録単位毎の再生を外周から内周に向って再生し、前記記録単位内における前記情報の再生を内周から外周に向って再生するよう制御する制御手段を有する再生装置。
【発明の詳細な説明】
【０００１】
【発明の属する技術分野】
本発明は、記録媒体に情報を記録する技術に関する。特に、記録媒体に情報及び前記情報を管理する管理情報を記録する技術に関する。
【０００２】
【従来の技術】
記録媒体に情報をファイル形式で記録する場合、情報自体と、その情報を管理する管理情報とを記録媒体上に記録する必要がある。一般的に、情報を記録する領域と管理情報を記録する領域とは、明確に分離され、管理情報の記録領域の情報量は予め定められている。そして、ファイル形式で情報を記録する記録装置として、記録媒体の内周から管理情報を記録し、記録媒体の外周から情報を記録する技術がある。（例えば、特許文献１参照）
（特許文献１）
特開２００１−２３３１２号公報（［００１２］、［００２７］、第２図、第３図）
【０００３】
【発明が解決しようとする課題】
上記のような記録装置を用いる場合、以下のような点が考慮されていなかった。
【０００４】
第一に、管理情報領域があらかじめ決まっていると、書換え不可能な記録媒体では、記録領域を有効に利用できないという課題があった。なぜなら、管理情報領域の量は、記録されるファイルの数や追記回数などによって大きく変化し、最適な量を決めることができないためである。例えば、情報領域をすべて使い終わる前に、管理情報領域が不足してしまうと、情報の記録領域に空きがあるにもかかわらず、情報の記録領域に情報を書き込めないと言う課題が生じる。一方、情報領域を使い終わると、管理情報領域が余っていても、管理情報を書き込むことはなくなるので、管理情報領域が無駄になってしまう。
【０００５】
第二に、情報領域を記録媒体の外周とし、情報を情報の情報量だけ内周側からその外周方向へ記録しようとする場合、あらかじめ情報の情報量が分かっている必要がある。しかしながら、情報の情報量があらかじめ分かっているとは限らない。例えば、ビデオレコーダーのように、画像音声情報を記録する場合、情報の記録レートや録画時間などによって、情報の情報量が大きく変化する。かかる場合には、従来技術を適用することができなかった。
【０００６】
本発明の目的は、上記従来の課題を解決することを目的とする。また、記録媒体の記録領域を有効に利用することができる記録技術を提供することにある。
【０００７】
【課題を解決するための手段】
上記目的を達成するため、本発明は、情報及び前記情報を管理する管理情報を記録媒体に記録する技術において、前記情報を、記録情報量が定められていない情報記録領域における既に記録されている情報より内周の位置から記録し、前記管理情報を、記録情報量が定められていない管理情報記録領域における既に記録されている管理情報より外周の位置から記録する技術とする。
【０００８】
また、情報及び前記情報を管理する管理情報を記録媒体に記録する技術において、前記情報を、所定の記録単位毎に、記録情報量が定められていない情報記録領域における既に記録されている情報より内周の位置から記録し、前記管理情報を、記録情報量が定められていない管理情報記録領域における既に記録されている管理情報より外周の位置から記録する技術とする。
【０００９】
【発明の実施の形態】
以下、第一の実施形態に係る記録再生装置を詳細に説明する。なお、本実施形態において、記録媒体は書換えが不可能な光ディスクであり、情報の記録は追記によって行うものとする。
【００１０】
図１は、本実施形態における光ディスク上のファイルの配置を示し、図２は、光ディスク上の記録領域のイメージ図を示す。なお、図２においては、図１と同様の符号を用いた。
【００１１】
記録領域１０１は、所定情報量のセクター単位で構成されており、各セクターは２０４８バイトの情報を記録することができる。また、各セクターには、光ディスク中央部分から順番にセクター番号が割り当てられており、このセクター番号によって、アクセスを行うセクターを指定することが出来る。
【００１２】
アンカー記述子は、管理情報が記録されている領域を示す。ファイル管理領域の位置を変更した場合に、アンカー記述子を追記することにより、管理情報領域の読み出し位置を変更することが出来る。また、複数のアンカー記述子をアンカー記述子領域に記録する場合、最後のアンカー記述子のみを記録することにより、アンカー記述子記録領域の書き換え回数を減らすことが出来る。なお、アンカー記述子は、管理情報の記録位置のほか、いくつかの情報を含んでいるが、ＥＣＣブロック一つ分に十分記録できる大きさであり、１回の追記で、１ＥＣＣブロックである１６セクター分の情報量を要する。
【００１３】
本実施形態において、情報領域及び管理情報領域の記録情報量は予め定められていないが、アンカー記述子領域の記録情報量は予め定められている。なぜなら、アンカー記述子は、通常光ディスクの内周から記録されるため、アンカー記述子の記録領域を予め定めていないと、管理情報の記録を開始する位置を決定できないためである。なお、記録されるアンカー記述子の数は、管理情報の個数に比例する。したがって、アンカー記述子領域としてあらかじめ確保しておく領域の情報量は、追記回数で決定できる。例えば、１０００回の追記を想定すれば、アンカー記述子領域の記録情報量は１６０００セクター分であれば良い。但し、アンカー記述子を光ディスクに記録しなくても良い。その場合には、管理情報を光ディスクの内周から記録する。この場合には、より光ディスクの記録領域を有効に使うことができる。
【００１４】
管理情報１０３は、光ディスク上に記録されている情報１０４、１０５の記録位置や情報量、ファイル識別子（ファイル名）、ファイルの生成時刻、又はファイルの種類等の情報を管理する情報である。
【００１５】
情報１０４、１０５は、ユーザーにより記録された画像情報、又は音声情報である。
【００１６】
以下、本実施形態にかかる記録装置による情報の記録処理について図１から図３を用いて説明する。
【００１７】
図３は、本実施形態における記録再生装置のブロック図を示す。
【００１８】
まず、情報１（図１中１０４）の記録について説明する。
【００１９】
情報１は、この光ディスクに最初に記録される情報であり、このファイルを書き込む前には、光ディスク上に何ら情報は記録されていないものとする。
【００２０】
何も記録されていない新しい光ディスクが記録再生装置に挿入されると、記録再生装置は、光ディスクの挿入を感知し、制御マイコン３０８は、光ディスクが挿入された旨の情報をインターフェース３０７を介して、メインマイコン３０４に通知する。この情報により、メインマイコン３０４は、挿入された光ディスクが未使用の光ディスクであることを認識する。
【００２１】
未使用の光ディスクの場合、アンカー記述子や管理情報は存在しないので、メインマイコン３０４は、空の管理情報を生成するが、光ディスク３１２への記録は行わない。
【００２２】
次に、スイッチ３０６により情報１の記録を指示されると、メインマイコン３０４は、情報１の情報量を判断し、インターフェース３０７を介して、制御マイコン３０８に、所定の番号のセクター（図１中、１０６の位置）から情報の記録を開始すべき指示を出す。
【００２３】
ここで、メインマイコン３０４は、予め、記録情報の情報量を判断する必要がある。画像音声情報の記録を行う場合、画像音声情報の平均ビットレートと記録時間から記録情報の情報量を計算できる。例えば、情報１を６Ｍｂｐｓの平均ビットレートで画像音声情報をエンコードし、３０分間の番組を記録する場合を考えると、６Ｍｂｐｓ×１８００秒＝１０．８Ｇビット、すなわち、１３５０Ｍバイトの情報量となる。１セクターが２ＫＢである場合、６７５０００セクターを用意すれば良く、未記録領域の外周部６７５０００セクターを記録領域として用いる。すなわち、情報１を未記録領域の最外周セクターから６７５０００セクターだけ内周から記録を開始する。
【００２４】
記録時に用いる平均ビットレートは、メインマイコン３０４により決定され、コーデック回路３０３に設定される。一方、記録時間は、ＴＶ番組を録画する場合などは予め定まっている。また、メインマイコン３０４が、ユーザの指示に基き、記録時間が所定の時間になるように制御マイコン３０８や情報処理回路３１０等を制御する構成としても良い。また、ＰＣ用のデータファイルを記録する場合では、あらかじめファイルの情報量が分かっているため、未使用領域の外周部に、ファイル量に対応した記録領域を割り当てればよい。
【００２５】
次に、制御マイコン３０８は、メインマイコン３０４に指定されたセクター（図１中、１０６の位置）から情報の記録を行えるように、サーボ３１３に指示を出し、光ディスク３１２の回転数や光ヘッド３１１の位置などを制御する。
【００２６】
また、制御マイコン３０８は、コーデック回路３０３に情報１の圧縮処理を行わせる。音声入出力端子３０１や画像入出力端子３０２から入力された画像音声情報は、コーデック回路３０３に入力され、Ａ／Ｄ変換によりディジタル情報に変換される。ディジタル化された画像音声情報は、コーデック回路３０３により情報圧縮が行われる。コーデック回路３０３により処理された画像音声情報は、インターフェース３０７を介してバッファメモリ３０９に記憶される。
【００２７】
制御マイコン３０８は、バッファメモリ３０９内に蓄えられた画像音声情報の量を確認し、所定量の情報が蓄えられると、バッファメモリ３０９から情報処理回路３１０に画像音声情報を入力して、情報処理回路３１０に情報の記録を行わせる。情報処理回路３１０は、入力された情報に誤り訂正符号の付加などの符号化処理を行った後、光ディスクへの記録が可能なように変調処理を施す。変調された情報は、光ヘッド３１１を介して光ディスク３１２上に記録される。
【００２８】
情報１の記録が完了すると、情報１の記録領域を示す情報、情報１の識別子（ファイル名）、及び属性情報などの管理情報１０３ａが、管理情報領域の内周から記録される。また、最後に情報を記録したセクターの番号も管理情報として記録される。これは、次に追記する位置を判断するのに使用する。
そして、この管理情報１０３ａのセクター番号を示すアンカー記述子１０２ａが、アンカー記述子領域に記録される。
【００２９】
次に、情報２の記録について説明する。
【００３０】
情報１のみが書き込まれた光ディスクが記録再生装置に挿入され、又は電源が投入されると、光ディスクが挿入された旨の情報が、メインマイコン３０４へ送られる。
【００３１】
メインマイコン３０４は、光ディスク３１２に記録されたアンカー記述子１０２ａを読み出す。メインマイコン３０４は、アンカー記述子１０２ａから管理情報の光ディスク上の記録位置を判断し、管理情報１０３ａを読み出し、管理情報１０３ａをＲＡＭ３０５上に記憶しておく。なお、アンカー記述子は、追記に対応するため、アンカー記述子記録領域中に最後に書き込まれたアンカー記述子を有効なものとして扱う。また、アンカー記述子内に、アンカー記述子のバージョン番号を入れておき、この番号によりアンカー記述子の新旧を判断しても良い。
【００３２】
次に、スイッチ３０６から情報２を記録すべき指示があると、メインマイコン３０４は、ＲＡＭ３０５上に記憶されている管理情報に応じて、光ディスク上の記録開始セクター番号を求める。なぜなら、情報２の記録は、情報１の記録領域を避けて行われる必要があるためである。なお、前述のように、情報１は１０４の領域に記録されている。よって、最後に記録された部分は、情報１０４の最後のセクターである。この最終記録セクター番号を管理情報１０３ａから得ることができる。よって、メインマイコン３０４は、１０４の記録領域は使用済みであると判断する。
【００３３】
次に、メインマイコン３０４は、情報２の情報量を判断し、インターフェース３０７を介して、制御マイコン３０８に、光ディスク３１２の未記録領域の最外周より情報２の情報量だけ内周（図１中、１０７の位置）から情報の記録を開始すべき指示を出す。
【００３４】
制御マイコン３０８は、メインマイコン３０４に指定されたセクターから情報の記録を行えるように、サーボ３１３に指示を出し、光ディスク３１２の回転数や光ヘッド３１１の位置などを制御する。
【００３５】
その後、制御マイコンは、情報処理回路３１０により情報２を光ディスク３１２に記録させる。
【００３６】
情報２の記録完了後、管理情報１０３ｂおよびアンカー記述子１０２ｂが、アンカー記述子領域に記録される。
【００３７】
以上、本実施形態において、管理情報１０３は、光ディスク３１２の内周から記録を行ない、情報１０４の記録は、ディスク外周側から行うので、どちらかが不足したり、余ったりすることがなく、ディスク上の記録領域を有効に利用することができる。
【００３８】
なお、上記の説明では、管理情報をファイル記録後にすぐに記録をするように説明したが、これに限定されるものではない。管理情報の更新が頻繁に行われるような場合には、管理情報の更新は、メインマイコン３０４上で行い、ディスクの取り出し時にのみ管理情報およびアンカー記述子の記録を行えばよい。これによれば、管理情報やアンカー記述子の追記回数を減らすことができ、ディスク上の領域をより有効に利用できるという効果がある。また、管理情報を光ディスクの内周から記録し、情報を光ディスクの外周から記録する構成について説明をしたが、管理情報を光ディスクの外周から記録し、情報を光ディスクの内周から記録する構成としても、同様の効果を得ることができる。また、記録媒体は書換え不可能の光ディスクに限られず、情報及び管理情報を記録する記録媒体であれば良い。記録する情報も画像音声情報に限られず、ＰＣ用のプログラム情報等にも適用することができる。
【００３９】
次に、本実施形態にかかる記録再生装置による再生処理について図１及び図３を用いて説明する。ここで、光ディスクには、情報１および情報２が記録されているものとする。
【００４０】
まず、光ディスクが、記録再生装置に挿入され、又は記録再生装置に電源が投入されると、ディスクが挿入された旨の情報が、制御マイコン３０８からメインマイコン３０４へ送られる。メインマイコン３０４は、アンカー記述子の記録されたセクターの情報を読み出す旨の指令を制御マイコンへ通知する。制御マイコン３０８は、指示されたセクターの情報を読み出し、メインマイコン３０４へ情報を送る。ここで、アンカー記述子は、図１に示すように、１０２ａと１０２ｂが記録されている。アンカー記述子は、追記されるため、最後に書き込まれたアンカー記述子を有効なものと判断する。ここでは、アンカー記述子１０２ｂが有効であると判断される。
【００４１】
メインマイコン３０４は、読み出したアンカー記述子１０２ｂから、管理情報の記録位置を判断する。アンカー記述子１０２ｂには、管理情報の記録位置が１０３ｂであると示されている。したがって、メインマイコン３０４は、管理情報１０３ｂを読み出し、解析する。
【００４２】
管理情報１０３ｂには、情報１および情報２の識別子、属性情報、記録領域などの情報が記録されている。
【００４３】
メインマイコン３０４は、利用者に、情報１と情報２が記録されている旨の情報を通知し、使用するファイルの選択を促す。ここで、ファイルは、ＰＣで使用する情報ファイルや、ＴＶ番組や映画などの画像音声情報を記録した情報などである。
【００４４】
メインマイコン３０４は、ファイルが選択されると、そのファイルのセクター番号を判断し、情報の再生を行う。再生された情報は、コーデック回路３０３に入力される。コーデック回路３０３では、ディジタル処理による伸張処理が行われた後、Ｄ／Ａ変換処理によりアナログの画像音声情報に変換される。アナログ情報に変換された画像音声情報は、それぞれ音声入出力端子３０１、画像入出力端子３０２に出力される。なお、再生された情報がＰＣ用のプログラム情報であればＰＣ側に送られて処理が行われる。
【００４５】
以上のようにして、ファイルの記録された光ディスクから情報を再生することができる。
【００４６】
次に、第二の実施形態に係る記録再生装置を図３及び図４を用いて説明する。なお、本実施形態において、記録媒体は書換えが不可能な光ディスクであり、情報の記録は追記によって行うものとする。
【００４７】
図４は、本実施形態における光ディスク上のファイルの配置を示す。
【００４８】
記録領域４０１は、所定情報量のセクター構造をしており、各セクター、アンカー記述子、及び管理情報の構成は、第一の実施形態と同じである。
【００４９】
まず、情報１（図４中４０４）の記録について説明する。
【００５０】
情報１は、この光ディスクに最初に記録される情報であり、このファイルを書き込む前には、光ディスク上に何ら情報は記録されていないものとする。
【００５１】
何も記録されていない新しい光ディスクを記録再生装置に挿入すると、記録再生装置は、光ディスクの挿入を感知し、制御マイコン３０８が、光ディスクが挿入された旨の情報をインターフェース３０７を介して、メインマイコン３０４に通知する。この情報により、メインマイコン３０４は、挿入された光ディスクが未使用の光ディスクであることを認識する。
【００５２】
未使用の光ディスクの場合、アンカー記述子や管理情報は存在しないので、メインマイコン３０４は、空の管理情報を生成するが、光ディスク３１２への記録は行わない。
【００５３】
次に、スイッチ３０６により情報１の記録を指示されると、メインマイコン３０４は、コーデック回路３０３に圧縮処理を行わせる。音声入出力端子３０１や画像入出力端子３０２から入力された画像音声情報は、コーデック回路３０３に入力され、Ａ／Ｄ変換によりディジタル情報に変換される。ディジタル化された画像音声情報は、コーデック回路３０３により情報圧縮が行われる。コーデック回路３０３により処理された画像音声情報は、インターフェース３０７を介してバッファメモリ３０９に記憶される。
【００５４】
制御マイコン３０８は、バッファメモリ３０９内に蓄えられた画像音声情報の量を確認し、所定量の情報が蓄えられると、バッファメモリ３０９から情報処理回路３１０に画像音声情報を入力して、情報処理回路３１０に情報の記録を行わせる。情報処理回路３１０は、入力された情報に誤り訂正符号の付加などの符号化処理を行った後、光ディスクへの記録が可能なように変調処理を施す。変調された情報は、光ヘッド３１１を介して光ディスク３１２上に記録される。
【００５５】
次に、本実施形態における情報１の光ディスクへの記録の詳細について説明する。
【００５６】
本実施形態においては、図４に示した様に、制御マイコン３０８は、情報１を複数のセクターからなるブロック毎（４０４ａから４０４ｃ）に分割して光ディスク３１２の情報記録領域に記録させる。その際に、制御マイコンは、ブロック単位（１ブロックの情報量は、１ＥＣＣブロックの整数倍である）を、外周（セクター番号の大きいセクター）から順に内周（セクター番号の大きいセクター）へ向かって記録させる。但し、各ブロックの領域内においては、内周側のセクター（セクター番号の小さいセクター）から順に外周（セクター番号の大きいセクター）に向かって記録が行われる。
【００５７】
そのため、本実施形態において、各ブロック内の情報を書き込む際には、セクター番号が連続しているため、シーク動作（光ヘッドの移動）が行われず、情報の記録速度の低下は生じない。
【００５８】
一方、ブロックから、他のブロックへ光ヘッドが移動する際には、シーク動作により次のブロックの先頭位置を検出する必要があるため、情報記録速度が低下する要因となる。
【００５９】
したがって、ブロックの情報量を小さく設定すると、ブロック間の移動のためのシーク動作が頻繁になり、記録速度が低下する。一方、ブロック量を大きく設定すると、最終記録ブロックにおける空き領域が大きくなり、記録領域を無駄に使用する可能性が高くなる。そのため、かかる点を考慮した上でブロックの情報量を定める必要がある。本実施例においては、１ブロックを８ＭＢ（４０９６セクター）とした。但し、この１ブロックの情報量は任意に変更可能であり、情報の記録速度などから最適な情報量が決定される。
【００６０】
なお、本実施形態において、情報１の情報量は、２０ＭＢであるものとする。
【００６１】
領域４０４ａに情報を全て書き込むと、光ヘッドを領域４０４ｂの最内周（セクター番号の最も小さいセクター）をシークする。そして、４０４ｂの内周（セクター番号の小さいセクター）から外周（セクター番号の大きいセクター）へ向かって情報１が書き込まれる。
【００６２】
同様に、４０４ｂも全て書き込まれると、４０４ｃの領域を使用する。情報１の量は、２０ＭＢなので、領域４０４ｃの途中で記録が完了し、４０４ｃの後部には空き領域が生じる。この空き領域は、ダミー情報で全て埋める。
【００６３】
情報１の記録が完了すると、情報１の記録領域を示す情報、情報１の識別子（ファイル名）、及び属性情報などの管理情報４０３ａが、管理情報領域に記録される。また、最後に情報を記録したセクターの番号も管理情報として記録される。これは、次に追記する位置を判断するのに使用する。
そして、この管理情報４０３ａのセクター番号を示すアンカー記述子４０２ａが、アンカー記述子領域に記録される。
【００６４】
次に、情報２の記録について説明する。
【００６５】
情報１のみが書き込まれた光ディスクが記録再生装置に挿入され、又は電源が投入されると、光ディスクが挿入された旨の情報が、メインマイコン３０４へ送られる。
【００６６】
メインマイコン３０４は、光ディスク３１２に記録されたアンカー記述子４０２ａを読み出す。メインマイコン３０４は、アンカー記述子４０２ａから管理情報の光ディスク上の記録位置を判断し、管理情報４０３ａを読み出し、管理情報４０３ａをＲＡＭ３０５上に記憶しておく。なお、アンカー記述子は、追記に対応するため、アンカー記述子記録領域中に最後に書き込まれたアンカー記述子を有効なものとして扱う。また、アンカー記述子内に、アンカー記述子のバージョン番号を入れておき、この番号によりアンカー記述子の新旧を判断しても良い。
【００６７】
次に、スイッチ３０６から情報２を記録すべき指示があると、メインマイコン３０４は、ＲＡＭ３０５上に記憶されている管理情報に応じて、光ディスク３１２上の記録開始セクター番号を求める。なぜなら、情報２の記録は、情報１の記録領域を避けて行われる必要があるためである。なお、前述のように、情報１の記録は、４０４ａ、４０４ｂ、４０４ｃの順に行われており、最後に記録された部分は、情報４０４ｃの最後のセクターである。この最終記録セクター番号を管理情報４０３ａから得ることができる。メインマイコン３０４は、４０４ｃまでの記録領域が使用済みであると判断する。
【００６８】
次に、メインマイコン３０４は、インターフェース３０７を介して、制御マイコン３０８に、所定の番号のセクターから情報の記録を開始すべき指示を出す。
【００６９】
制御マイコン３０８は、メインマイコン３０４に指定されたセクターから情報の記録を行えるように、サーボ３１３に指示を出し、光ディスク３１２の回転数や光ヘッド３１１の位置などを制御する。
【００７０】
情報２の情報が入力されると、領域４０５ａから記録を開始する。領域４０５ａを全て使い終わると、次に領域４０５ｂ、４０５ｃの順に情報を記録していく。ここで、情報２の情報は、４０５ｄまで記録して、記録が完了している。４０５ｄの後ろには、空き領域ができているが、この領域は、以降使用しないので、ダミー情報を埋める。
【００７１】
情報２の記録領域等に関する管理情報４０３ｂを管理情報領域に記録する。新しい管理情報４０３ｂには、情報１及び情報２に関する管理情報が記録されている。
【００７２】
また、管理情報４０３ｂの記録位置を明示するため、アンカー記述子４０２ｂをアンカー記述子４０２ａの後ろに記録する。
【００７３】
以上、本実施形態においては、管理情報は、ディスクの内周側から記録を行ない、情報の記録は、ディスク外周側から行うので、どちらかが不足したり、余ったりすることがなく、ディスク上の記録領域を有効に利用することができるという効果に加え、記録する情報の情報量を算出せずに適切な情報の記録を行うことができるという効果がある。
【００７４】
なお、上記の説明では、管理情報をファイル記録後にすぐに記録をするように説明したが、これに限定されるものではない。管理情報の更新が頻繁に行われるような場合には、管理情報の更新は、メインマイコン３０４上で行い、ディスクの取り出し時にのみ管理情報およびアンカー記述子の記録を行えばよい。これによれば、管理情報やアンカー記述子の追記回数を減らすことができ、ディスク上の領域をより有効に利用できるという効果がある。
【００７５】
次に、本実施形態における記録再生装置の再生処理について図３及び図４を用いて説明する。
【００７６】
ここで、光ディスクには、情報１および情報２が記録されているものとする。
【００７７】
まず、光ディスクが、記録再生装置に挿入され、又は記録再生装置に電源が投入されると、ディスクが挿入された旨の情報が、制御マイコン３０８からメインマイコン３０４へ送られる。メインマイコン３０４は、アンカー記述子の記録されたセクターの情報を読み出す旨の指令を制御マイコン３０８へ通知する。制御マイコン３０８は、指示されたセクターの情報を読み出し、メインマイコン３０４へ情報を送る。ここでは、第一の実施形態と同様に、アンカー記述子４０２ｂが有効であると判断される。
【００７８】
メインマイコン３０４は、読み出したアンカー記述子４０２ｂから、管理情報の記録位置を判断する。アンカー記述子４０２ｂには、管理情報の記録位置が４０３ｂであると示されている。したがって、メインマイコン３０４は、管理情報４０３ｂを読み出し、解析する。
【００７９】
管理情報４０３ｂには、情報１および情報２の識別子、属性情報、記録領域などの情報が記録されている。
【００８０】
光ディスク３１２に記録されている情報１は、光ヘッド３１１によって再生が行われ、情報処理回路３１０によって、復調が行われ、誤り訂正処理などの復号処理が行われる。情報処理回路３１０により復号された情報は、一旦、バッファメモリ３０９に蓄えられる。本実施形態において、４０４ａを再生した後、光ヘッド３１１を４０４ｂの内周（セクター番号が小さい位置）にシークするまでに所定の時間を要する。しかし、上述のように、バッファメモリ３０９を用いることにより、かかる光ヘッド３１１のシーク時間を吸収し、連続再生をすることができる。バッファメモリからインターフェース３０７を介してメインマイコン３０４に出力された情報は、第一の実施形態と同様に、コーデック回路３０３に入力され、ディジタル処理が行われた後、Ｄ／Ａ変換処理され、音声入出力端子３０１、画像入出力端子３０２に出力される。
【００８１】
以上のようにして、光ディスクから情報を再生することができる。
【００８２】
なお、第二の実施形態では、記録ブロック単位で外周側から記録する構成としたが、例えば、上下に２つの記録層を構成したディスクの場合には、必ずしも、外周側のセクター番号が大きいというわけではない。第１の記録層は、内周から外周に向かいセクター番号を増加させ、第２の記録層は、外周側から内周に向かい、セクター番号を増加させる場合もある。この場合でも、各ブロックのセクター番号の大きい方から順に記録するような構成とすれば、本発明を用いて同様の効果を得ることができる。
【００８３】
また、本実施形態は、情報及び管理情報を記録する記録媒体であれば書換え不可能の光ディスクに限られず適用することができる。また、記録する情報も画像音声情報に限られず、ＰＣ用のプログラム情報等にも適用することができる。
【００８４】
【発明の効果】
本発明により、記録媒体の記録領域を有効に利用することができる記録技術を提供することができる。
【図面の簡単な説明】
【図１】情報の記録イメージ図
【図２】光ディスクのイメージ図
【図３】記録再生装置のブロック図
【図４】情報の記録イメージ図
【符号の説明】
１０１…光ディスクの記録領域、１０２…アンカー記述子、１０３…管理情報、１０４…第１の情報、１０５…第２の情報
【図１】
2004087011.tif 000003
【図２】
2004087011.tif 000004
【図３】
2004087011.tif 000005
【図４】
2004087011.tif 000006